(57)【要約】【課題】通常の２条刈作業から３条〜４条刈作業に移行する場合に、その作業の切替操作に関連して車速を一定以下に規制することにより、刈取部や脱穀部にかかる負荷を低減させ、穀稈の詰まりなどによるトラブルを防止する。【解決手段】刈取部（４）の左右両側端部の分草具（１４Ｌ，１４Ｒ）の先端部間隔を縮小した状態と、左右の分草具（１４Ｌ，１４Ｒ）の先端部間隔を拡大した状態とに切替自在に構成し、左右の分草具（１４Ｌ，１４Ｒ）の先端部間隔を拡大した状態では、走行装置（２）の駆動速度の増速が制限される構成とする。【選択図】      図１
2013009611.tif 000002
【特許請求の範囲】
【請求項１】
走行装置（２）を備えた走行車体（１）の前側に刈取部（４）を設け、該刈取部（４）の左右両側端部に左右の分草具（１４Ｌ，１４Ｒ）を夫々設け、この左右の分草具（１４Ｌ，１４Ｒ）の間には中分草具（１４Ｃ）を設け、これら左右の分草具（１４Ｌ，１４Ｒ）および中分草具（１４Ｃ）の後方に引起し装置（１５Ｌ，１５Ｒ）を設け、該引起し装置（１５Ｌ，１５Ｒ）の後方に刈刃装置（１６）を設けたコンバインにおいて、前記左右の分草具（１４Ｌ，１４Ｒ）の先端部間隔を縮小した状態と、該左右の分草具（１４Ｌ，１４Ｒ）の先端部間隔を拡大した状態とに切替自在に構成し、該左右の分草具（１４Ｌ，１４Ｒ）の先端部間隔を拡大した状態では、走行装置（２）の駆動速度の増速が制限される構成としたことを特徴とするコンバイン。
【請求項２】
前記左右の分草具（１４Ｌ，１４Ｒ）の先端部間隔を縮小した状態では、中分草具（１４Ｃ）と左右の分草具（１４Ｌ，１４Ｒ）との間に各１条の植立穀稈を導入可能とし、前記左右の分草具（１４Ｌ，１４Ｒ）の先端部間隔を拡大した状態では、中分草具（１４Ｃ）と左右の分草具（１４Ｌ，１４Ｒ）との間に各２条の植立穀稈を導入可能な構成とした請求項１記載のコンバイン。
【請求項３】
前記左右の分草具（１４Ｌ，１４Ｒ）の先端部間隔を拡大した状態では、該左右の分草具（１４Ｌ，１４Ｒ）の先端部間隔が刈刃装置（１６）の幅よりも広くなり、左右の分草具（１４Ｌ，１４Ｒ）の先端部間隔を縮小した状態では、該左右の分草具（１４Ｌ，１４Ｒ）の先端部間隔が刈刃装置（１６）の幅よりも狭くなる構成とした請求項１又は請求項２記載のコンバイン。
【請求項４】
前記左右の分草具（１４Ｌ，１４Ｒ）の先端部間隔を切替操作する操作具（１３Ｌ，１３Ｒ）が、該左右の分草具（１４Ｌ，１４Ｒ）の先端部間隔を拡大する側に操作された場合に、走行変速レバー（１０）の操作域を前進側の所定範囲に規制する手段を設けた請求項１又は請求項２又は請求項３記載のコンバイン。
【請求項５】
前記走行車体（１）上の運転席（５）側方の操作パネル（７）に前記操作具（１３）と走行変速レバー（１０）を配置した請求項１から請求項４のいずれか一項記載のコンバイン。
【発明の詳細な説明】
【技術分野】
【０００１】
この発明は、コンバインに関するものである。
【背景技術】
【０００２】
従来、分草後の穀稈を引き起す一対の引起し装置を左右に対向配置し、これらの引起し装置に備えた引起しラグの移動軌跡の設定により、左右両端および中央の３つの分草体の各間に導入された植立穀稈を、刈取搬送部の中央側に向けて掻き込み案内する掻込案内領域と掻き込み案内された穀稈を引き起す引起し領域とを形成して、引起し範囲の拡大を図るようにした構成のものがある（例えば、特許文献１参照）。
【先行技術文献】
【特許文献】
【０００３】
【特許文献１】特開２０１０−１０４３４６号公報
【発明の概要】
【発明が解決しようとする課題】
【０００４】
上述の通り、特許文献１に記載された技術は、刈取部の左右両側端部に配置した左右の分草体と、中央に配置された中分草体との間隔を、各２条の植立穀稈を導入できる間隔に固定的に設定し、１条から最大４条の穀稈を刈り取ることができるように構成したものであるが、かかる構成のものでは、３条〜４条の植立穀稈が導入された場合、２条の植立穀稈が導入された場合と同じ走行速度で刈取作業を行おうとすると、刈取部や脱穀部にかかる負担が過大となり、穀稈の詰まりなどによるトラブルを惹き起す問題がある。
【０００５】
本発明の課題は、通常の２条刈作業から３条〜４条刈作業に移行する場合には、その作業の切替操作に関連して車速を一定以下に落すことにより、上記問題点を解消せんとするものである。
【課題を解決するための手段】
【０００６】
この発明は、上記課題を解決すべく次のような技術的手段を講じた。
すなわち、請求項１記載の発明は、走行装置（２）を備えた走行車体（１）の前側に刈取部（４）を設け、該刈取部（４）の左右両側端部に左右の分草具（１４Ｌ，１４Ｒ）を夫々設け、この左右の分草具（１４Ｌ，１４Ｒ）の間には中分草具（１４Ｃ）を設け、これら左右の分草具（１４Ｌ，１４Ｒ）および中分草具（１４Ｃ）の後方に引起し装置（１５Ｌ，１５Ｒ）を設け、該引起し装置（１５Ｌ，１５Ｒ）の後方に刈刃装置（１６）を設けたコンバインにおいて、前記左右の分草具（１４Ｌ，１４Ｒ）の先端部間隔を縮小した状態と、該左右の分草具（１４Ｌ，１４Ｒ）の先端部間隔を拡大した状態とに切替自在に構成し、該左右の分草具（１４Ｌ，１４Ｒ）の先端部間隔を拡大した状態では、走行装置（２）の駆動速度の増速が制限される構成としたことを特徴とするコンバインとする。
【０００７】
請求項２記載の発明は、前記左右の分草具（１４Ｌ，１４Ｒ）の先端部間隔を縮小した状態では、中分草具（１４Ｃ）と左右の分草具（１４Ｌ，１４Ｒ）との間に各１条の植立穀稈を導入可能とし、前記左右の分草具（１４Ｌ，１４Ｒ）の先端部間隔を拡大した状態では、中分草具（１４Ｃ）と左右の分草具（１４Ｌ，１４Ｒ）との間に各２条の植立穀稈を導入可能な構成とした請求項１記載のコンバインとする。
【０００８】
請求項３記載の発明は、前記左右の分草具（１４Ｌ，１４Ｒ）の先端部間隔を拡大した状態では、該左右の分草具（１４Ｌ，１４Ｒ）の先端部間隔が刈刃装置（１６）の幅よりも広くなり、左右の分草具（１４Ｌ，１４Ｒ）の先端部間隔を縮小した状態では、該左右の分草具（１４Ｌ，１４Ｒ）の先端部間隔が刈刃装置（１６）の幅よりも狭くなる構成とした請求項１又は請求項２記載のコンバインとする。
【０００９】
請求項４記載の発明は、前記左右の分草具（１４Ｌ，１４Ｒ）の先端部間隔を切替操作する操作具（１３Ｌ，１３Ｒ）が、該左右の分草具（１４Ｌ，１４Ｒ）の先端部間隔を拡大する側に操作された場合に、走行変速レバー（１０）の操作域を前進側の所定範囲に規制する手段を設けた請求項１又は請求項２又は請求項３記載のコンバインとする。
【００１０】
請求項５記載の発明は、前記走行車体（１）上の運転席（５）側方の操作パネル（７）に前記操作具（１３）と走行変速レバー（１０）を配置した請求項１から請求項４のいずれか一項記載のコンバインとする。
【発明の効果】
【００１１】
請求項１記載の発明によれば、刈取部（４）に導入される穀稈量が２条から３条〜４条に増加する場合には、走行装置（２）の駆動速度の増速が制限されるので、刈取部（４）や脱穀部の過負荷を少なくして詰まり等によるトラブルを未然に防止することができ、３条〜４条の植立穀稈を能率よく刈り取ることができる。
【００１２】
請求項２記載の発明によれば、上記請求項１記載の発明の効果を奏するものでありながら、左右の分草具（１４Ｌ，１４Ｒ）の先端部間隔を縮小した状態では２条の植立穀稈を導入することができ、左右の分草具（１４Ｌ，１４Ｒ）の先端部間隔を拡大した状態では４条の植立穀稈を導入することができ、２条刈状態と４条刈状態を使い分けて刈取作業を行うことができる。
【００１３】
請求項３記載の発明によれば、請求項１又は請求項２記載の発明の効果に加えて、基本構造を２条刈仕様としたコンバインでありながら、左右の分草具（１４Ｌ，１４Ｒ）の先端部間隔を変更するだけで、刈取条数を大幅に増加することができる。
【００１４】
請求項４記載の発明によれば、請求項１又は請求項２又は請求項３記載の発明の効果に加えて、走行変速レバー（１０）の操作域が前進側の所定範囲に規制されているので、不用意に車速を上げて過負荷状態に陥りにくくなり、過負荷に起因するトラブルを未然に防止することができる。
【００１５】
請求項５記載の発明によれば、請求項１から請求項４のいずれか一項記載の発明の効果に加え、走行変速レバー（１０）と左右の分草具（１４Ｌ，１４Ｒ）の先端部間隔を切替操作する操作具（１３）が運転席（５）側方の操作パネル（７）に配置してあるので、走行速度の変速操作並びに左右の分草具（１４Ｌ，１４Ｒ）の先端部間隔の切替操作が手元で集中的に行え、操作性が向上し、作業能率が高まる。
【図面の簡単な説明】
【００１６】
【図１】コンバインの平面図
【図２】コンバインの正面図
【図３】コンバインの側面図
【図４】刈取部の要部の平面図
【図５】刈取部の要部の平面図
【図６】刈取部の要部の正面図
【図７】同上要部の正面図
【図８】同上要部の正面図
【図９】同上要部の正面図
【図１０】同上要部の正面図
【図１１】分草体の開閉操作具と副変速レバーとの連動構成を示す側面図
【図１２】分草体の開閉操作具と主変速レバーとの連動構成を示す側面図
【図１３】コンバイン要部の運転操作部の正面図
【図１４】操作具（操作レバー）の側面図
【図１５】同上操作具の分解側面図
【図１６】コンバイン要部の運転操作部の側面図
【図１７】コンバイン要部の運転操作部の側面図
【図１８】左右操作具の取付状態を示す要部の正面図
【発明を実施するための形態】
【００１７】
この発明の実施例を図面に基づき説明する。
図１及び図２は、コンバインの全体図を示すものであり、この走行車体１には、走行ミッションＭを介して駆動される左右一対の走行クローラ２Ｌ，２Ｒを備えた走行装置２を設け、後部に搭載した脱穀装置（脱穀部）３の前方部に刈取部４を設置し，刈取部４の横側部には運転席５、運転席前側のフロント操作パネル６、運転席左横側のサイド操作パネル７等からなる運転操作部を備え、更に、その運転操作部の後方には脱穀粒を一時的に貯留するグレンタンクＧを装備している。
【００１８】
フロント操作パネル６の右側には、左右方向の操作で機体の進行方向を操向制御し、前後方向の操作で刈取部４を昇降制御する操向レバー８が設置されている。運転席５左側のサイド操作パネル７上には、刈取部４及び脱穀部３への回転動力を断続操作する刈脱クラッチレバー９、走行速を変速制御する走行変速レバー（ＨＳＴレバー）１０、副変速レバー１１等が配置されている。
【００１９】
刈取部４は、後支持フレーム１９で支持され、この後支持フレーム１９基端部（後端部）を、走行車体１に設けた不図示の支持部に回動自在に軸支している。そして、後支持フレーム１９の中間部と走行車体１の間に設けた刈取昇降シリンダＳの油圧駆動による伸縮により、刈取部４が上下昇降される。
【００２０】
後支持フレーム１９の先端部（前端部）には、左右方向の横支持フレーム２０の左右中間部を連結しており、横支持フレーム２０からコンバインの機体前方に向けて、分草支持フレーム２１を、左右所定間隔をおいて複数配置している。
【００２１】
また、刈取部４は、立毛する穀稈を左右に分草する左右両側端部の分草体１４Ｌ，１４Ｒ及び中央の中分草体１４Ｃと、分草後の穀稈を引き起す左右一対の穀稈引起し装置（引起し装置）１５Ｌ，１５Ｒと、引起し後の穀稈を刈り取るバリカン式の刈刃装置１６と、刈取後の穀稈を掻込搬送する掻込ベルト１７ａやスターホイル１７ｂ等の掻込搬送装置１７、掻込搬送後の穀稈を脱穀部に揚上搬送して供給する揚上搬送装置１８等を備えている。各分草体１４は、刈刃装置１６側から前方に突設する分草支持フレーム２１の先端に取り付けられている。
【００２２】
左右の分草体１４Ｌ，１４Ｒは、先端側が内側方（閉状態）又は外側方（開状態）に向けて回動するよう分草支持フレーム２１の途中部に設けた上下方向の縦軸２２回りに回動自在に枢着している。
【００２３】
左右の分草体１４Ｌ，１４Ｒの開状態では、左右の分草体１４Ｌ，１４Ｒの先端部間隔Ｂ１が刈刃装置１６の幅Ａよりも広くなり、閉状態ではこの左右の分草体１４Ｌ，１４Ｒの先端部間隔Ｂ２が刈刃装置１６の幅Ａよりも狭くなるように構成している（図４参照）。
【００２４】
図６に示すように、通常の２条刈作業を行う場合は、左右の分草体１４Ｌ，１４Ｒは閉位置状態にあって、左右の分草体１４Ｌ，１４Ｒと中分草体１４Ｃとの間に各１条づつの穀稈が導入され、左右合わせて２条分の穀稈が刈刃装置１６側に案内されるようになっている。
【００２５】
左右の分草体１４Ｌ，１４Ｒのうち、左の分草体１４Ｌを外側方に開いた時（開状態）は、中分草体１４Ｃと左の分草体１４Ｌとの間に各２条の穀稈が導入され、中分草体１４Ｃと右の分草体１４Ｒとの間に導入される１条の穀稈と合わせて３条の穀稈が導入され図７参照、３条刈作業が可能となる。
【００２６】
また、左右の分草体１４Ｌ，１４Ｒのうち、右の分草体１４Ｒを外側方に開いた時（開状態）は、中分草体１４Ｃと右の分草体１４Ｒとの間に２条の穀稈が導入され、中分草体１４Ｃと閉状態の左分草体１４Ｌとの間に導入される１条の穀稈と合わせて３条の穀稈が導入され図７参照、上記と同様に３条刈作業ができるようになっている。
【００２７】
そして、図９に示すように、左右の分草体１４Ｌ，１４Ｒを外側方に開いた時には、左の分草体１４Ｌと中分草体１４Ｃとの間、及び右の分草体１４Ｒと中分草体１４Ｃとの間に、それぞれ２条づつの穀稈が導入され、左右合わせて４条分の穀稈が導入されるようになっており、４条刈作業が可能となる。
【００２８】
しかして、前述の２条刈り作業（図７）では、右の分草体１４Ｒを既に刈り取った穀稈（既刈穀稈）の切り株Ｃの位置に合せると、左右の分草体１４Ｌ，１４Ｒの間に２条分の穀稈が導入される間隔に設定しているので、操縦者は、運転席５の前方にある右の分草体１４Ｒの位置を切り株Ｃの上を通過するように前記操向レバー８で機体を操向しながら前進すればよく、刈取作業における機体の操作が容易となる。
【００２９】
３条刈りの作業のうち、図８に示す作業では、左の分草体１４Ｌを圃場に植立する穀稈Ｋがこの左の分草体１４Ｌよりも内側に入るようにする。この作業形態は、主に畦際の穀稈を刈取る際に用いられ、左の分草体１４Ｌの先端が機体の左最外側に近づくことで、畦際の穀稈を刈取る際に周囲の障害物に機体を接触させることなく作業を行うことができ、周囲をコンクリート壁で囲まれた都市部の圃場などでは極めて有効である。
【００３０】
図９に示す３条刈り作業では、コンバインの機体の左右両側に未刈り穀稈を位置させて行う所謂中割り作業に好適であり、走行クローラ２Ｒの外側端との距離が大きい右の分草体１４Ｒの先端を穀稈Ｋのすぐ右側に位置させて刈取ることで、この穀稈Ｋよりも機体進行方向右側に位置する穀稈と走行クローラ２Ｒとのクリアランスを確保して刈取作業を行なうため、未刈穀稈を走行クローラ２Ｒ，２Ｌによって踏みつけることなく中割り作業を行なうことができる。
【００３１】
４条刈りの作業（図１０）では、二条枠の穀稈引起装置１５Ｌ，１５Ｒで４条分の穀稈を刈取ることができ、刈取作業の効率を飛躍的に高めることができる。特に、前述の中割り作業を行なうにあたり効果的であり、刈取作業中に機体の方向転換などを行なう際にも、走行クローラ２Ｒ，２Ｌによって穀稈を踏みつけることなく作業を行なうことができる。
【００３２】
また、上述のように２条刈りから最大４条刈りまでに左右の分草体１４Ｌ，１４Ｒの間隔を変更できることで、作業条件が良好な場合（穀稈が立毛状態であり、雨水や泥土等が付着していない場合や、穀稈の穂先の穀粒が比較的少ない場合）には、４条分の穀稈を刈取装置４に導入することで、圃場内を移動する距離や、機体の旋回を行なう回数を減少させ、能率的な作業を行なうことができる。
【００３３】
また、穀稈が倒伏していたり、濡れていたり、穀粒が多く、刈取搬送や脱穀の負荷が高いことが予想される作業条件においては、刈取装置４に導入する穀稈の量を２条分に制限することで、刈取装置４や脱穀装置３の負荷を軽減し安定した作業を行うことができる。
【００３４】
左右の穀稈引起し装置１５Ｌ，１５Ｒは、左右対称形状に構成された引起しケース２５と、該引起しケース２５内上部に架設された駆動スプロケット２６、テンションスプロケット２７及び引起しケース２５内下部に左右所定間隔をあけて架設された左右のガイドローラ２８ａ，２８ｂと、それらにわたって掛け回した引起しラグ２９付無端チエン３０とから成り立っている。左右の穀稈引起し装置１５Ｌ，１５Ｒの始端側には、引起しラグ２９によって導入された穀稈を外側から内側方の引起し経路Ｙ２側に向けて掻き寄せる横方向所定幅の掻き寄せ経路Ｙ１が設けられている。この掻き寄せ経路Ｙ１は、所定間隔をあけて配置した左右のガイドローラ２８ａ，２８ｂ間において構成され、そして、少なくとも、この左右ガイドローラ２８ａ，２８ｂ間のピッチＰ１を引起しラグ２９，２９間のピッチＰ２と略同等若しくはそれよりも大きく設定することで、この掻き寄せ経路Ｙ１中には常に複数の引起しラグ２９，２９が下向き作用姿勢で横移動するようになっている。なお、引起し経路Ｙ２では引起しラグ２９が横向き姿勢で上昇移行する。
【００３５】
従って、上記構成の掻き寄せ経路によれば、片側に２条の穀稈が導入されても引起し経路内へ確実に掻き寄せることができる。
左右の分草体１４Ｌ，１４Ｒとこれらを遠隔操作する操作具（操作レバー）１３Ｌ，１３Ｒとは、操作ワイヤ２３等の連繋部材を介して連動連結され、各操作レバー１３Ｌ，１３Ｒの支軸１２を軸芯とする手前側（前方から後方）への引き操作により、左分草体１４Ｌを左外側方へ、右分草体１４Ｒを右外側方へ回動操作するように連動構成している。なお、操作レバー１３Ｌ，１３Ｒは、前方に押し操作すると、左右の分草体１４Ｌ，１４Ｒは２条刈作業体勢の閉状態に復帰するようになっている。また、左右の操作レバー１３Ｌ，１３Ｒは、サイド操作パネル７側において走行変速レバー１０と副変速レバー１１の横側近傍に配置されている。
【００３６】
走行ミッションＭに備えた副変速装置は、副変速レバー１１によって高速（路上走行速）と中速（刈取標準速）と低速（刈取作業倒伏速）の３段階に切り替えできるようになっている。即ち、作業速の副変速切り替えに「標準」と「倒伏」を有するコンバインでは、左右の分草体１４Ｌ，１４Ｒの開状態では、操作レバー１３の操作に連動して副変速レバー１１を「倒伏」位置に切り替えるように構成している。
【００３７】
通常、２条刈作業では「標準」の作業速で行うが、これが３条刈或は４条刈作業になると、能力的に無理な面があるので、作業速度を１段階落として低速度で作業することが望ましい。
【００３８】
そこで、図１１に示すように、操作レバー１３を開状態位置に操作すると、連動部材３１を介して副変速レバー１１が「倒伏」位置に移動し、作業速が標準速より低速に切り替わるようになっている。操作レバー１３の閉状態位置では連動部材３１に長穴３２を設けることで、副変速位置を変更することができる。
【００３９】
また、図１２に示すように、分草体の操作レバー１３を開状態位置に操作すると、連動部材３１及び牽制手段３３を介して走行変速レバー１０が所定範囲の前進側操作域を規制する位置まで移動し、これより前進側高速域には移動しないように牽制する構成としている。なお、分草体の閉状態では、規制がかからないように連動部材３１に設けられた融通穴３４によって規制を解除することができる。
【００４０】
図１３に示す実施例では、左右の分草体の操作レバー１３Ｌ，１３Ｒは、運転席５と走行変速レバー１０との間に配置し、同一軸芯（支軸１２）を回動支点としてそれぞれ単独で前後方向に揺動操作可能に構成してあり、しかも、サイド操作パネル７の最右側で且つ最前部に配置している。また、図１３例では、左右の操作レバー１３Ｌ，１３Ｒにおいて、正面視でこれらレバーの途中部から運転席５側に向けて折曲する折曲部Ｃを設け、該レバーの基部側の間隔は狭く、先端のグリップ側は間隔を広くとって操作がし易くなるように構成している。なお、操作ワイヤ２３を連結して引き操作するくの字連結プレート３９は、左右の操作レバー１３Ｌ，１３Ｒ間に配置してコンパクト化を図っている。
【００４１】
図１４例に示す操作レバー１３は、支軸１２部位から連結及び分離可能な２分割式としてあり、図１５に示すように基部側１３ａと先端側１３ｂとからなる構成としている。これによると、操作パネル部への組み立てが容易であり、組み付け後の調整も容易に行える。
【００４２】
図１６及び図１７例に示すように、左右の分草体１４Ｌ，１４Ｒの操作レバー１３Ｌ，１３Ｒは、両者共前方側から後方に引き操作した時、操作レバーのグリップ部が走行変速レバー１０のグリップ部より低い位置となるよう配置している。これによると、レバー操作時に手が他のレバーとの接触を防ぐことができ、操作性が向上する。操作レバー１３の回動中心部は走行変速レバー１０より前側に設定することで、走行変速レバー１０を操作する際に操作レバーとの接触を回避することができる。なお、操作レバー１３のストローク距離は、走行変速レバー１０のストローク距離よりも大きく設定している。
【００４３】
また、この操作レバー１３Ｌ（１３Ｒ）は，進行方向前側に向けて側面視くの字型に折り曲げ形成すると共に、閉状態では先端のグリップ部が引き起し装置１５の引起しカバー４０上部より前側に位置し、且つ、フロント操作パネル６よりも前側に位置する構成とすることで、後方への引き操作が行い易く、荷重を掛けるときにオペレータの体重が掛け易く操作性が向上する。
【００４４】
操作レバーの先端（グリップ部）位置が開状態（後方への引き操作の時）の時にオペレータ若しくは運転席５より前側にあるように配置構成することで、操作荷重を掛けるときにオペレータの体重が掛け易く操作性がアップする。
【００４５】
図１８例は、左右の操作レバー１３Ｌ，１３Ｒにおいて、一方側のレバー１３Ｌにボス部３６を構成して設け、他方側のレバー１３Ｒにはピン軸（支軸１２）を一体的に突出構成して設け、レバー１３Ｌ側のピン軸１２を取付ステー３７の軸受部３８に軸受支持させると共に、レバー１３Ｒ側のボス部３６をピン軸１２に嵌合支持することで、両レバーが同一軸芯回りで回動するよう軸受保持させることができる。かかる構成により、操作パネル部への組み立てが容易にでき、組付け後の調整も容易にできる。また、このレバー構成全体を取付ステーと共にそっくり操作パネル部から取外しができるように構成することもできる。
【符号の説明】
【００４６】
５    運転席
７    サイド操作パネル
１０    走行変速レバー
１３Ｌ  左操作具（操作具）
１３Ｒ  右操作具（操作具）
１４Ｌ  左の分草体
１４Ｒ  右の分草体
１４Ｃ  中分草体
１５    穀稈引起し装置（引起し装置）
１６    刈刃装置
【図１】
2013009611.tif 000003
【図２】
2013009611.tif 000004
【図３】
2013009611.tif 000005
【図４】
2013009611.tif 000006
【図５】
2013009611.tif 000007
【図６】
2013009611.tif 000008
【図７】
2013009611.tif 000009
【図８】
2013009611.tif 000010
【図９】
2013009611.tif 000011
【図１０】
2013009611.tif 000012
【図１１】
2013009611.tif 000013
【図１２】
2013009611.tif 000014
【図１３】
2013009611.tif 000015
【図１４】
2013009611.tif 000016
【図１５】
2013009611.tif 000017
【図１６】
2013009611.tif 000018
【図１７】
2013009611.tif 000019
【図１８】
2013009611.tif 000020